【手続補正書】
【提出日】平成16年1月22日(2004.1.22)
【手続補正１】
【補正対象書類名】明細書
【補正対象項目名】特許請求の範囲
【補正方法】変更
【補正の内容】
【特許請求の範囲】
【請求項１】
圧力応答流体制御システムであって、
（１）複数のワークセクション、
（２）ソースリターンラインを有し、前記ワークセクションへ平流式入口導管によって接続される余剰圧力を作り出す負荷感知補償流ソース、
（３）負荷に作動的に接続される前記ワークセクションの各々にある流体モータ、
（４）前記入口導管及び前記流体モータに接続される前記ワークセクションの各々にある方向制御弁、
（５）前記ソースから前記流体モータへの流体の流れを制御する、前記方向制御弁にある計量ノッチ、
（６）流量を計量した流体を前記計量ノッチから入力し、流量を調節した流体を前記流体モータへ出力する、前記ワークセクションの各々にある圧力補償弁であって、その一方の端部及びスプリングに作用する計量流圧力及びその他方の端部で作動する補償制御信号を有する、ところの圧力補償弁、
（７）前記ワークセクションの各々に相互に接続し、調節流最大出力信号を与える調節流論理逆流防止システム、
（８）前記ワークセクションの各々に相互に接続し、計量流最大出力信号を与える計量流論理逆流防止システム、及び
（９）分離弁及び安全弁を有し、前記調節流最大出力信号及び前記計量流最大出力信号を受け、負荷信号を前記ソースリターンラインへ供給し、分離出口信号を、流量を調節した流体の信号を前記ワークセクションの各々から受ける誘導負荷逆流防止システムへ供給し、前記ワークセクションのための前記分離出口信号及び前記流量を調節した流体の信号の最も高い圧力信号を前記ワークセクションの各々へ前記補償制御信号として供給し、これにより、前記圧力補償弁及び前記安全弁が、少なくとも１つの前記ワークセクションの前記流体モータの前記負荷によって前記調節流最大出力信号に導入される誘導負荷から分離される、分離回路、
から成る制御システム。
【請求項２】
請求項１記載の制御システムであって、
前記分離弁が、その一方の端部に作用する前記調節流最大出力信号及びその他方の端部に作用する前記分離出力信号によって平衡にされる分離スプールを含み、
前記スプールの入力が、前記計量流最大出力信号を受け、低減及び緩和機能に影響して前記分離出力信号を発生する、
ところの制御システム。
【請求項３】
請求項２記載の制御システムであって、
前記調節流最大出力信号が、前記計量流論理逆流防止システムと前記分離弁との間に挿入される流量制限オリフィスにより作動される、
ところの制御システム。
【請求項４】
請求項３記載の制御システムであって、
前記安全弁が、前記流量制限オリフィスの下流及び前記分離弁の上流の前記計量流最大出力信号で作動し、前記分離スプールが、非平衡位置にあり、これにより、前記安全弁が圧力を制限しているとき、前記分離出口信号が、前記分離スプールの入力に接続し、タンク安全導管から切断される、
ところの制御システム。
【請求項５】
請求項４記載の制御システムであって、
前記安全弁が、いずれの所望の予め設定した値で圧力を緩和するように調節可能である、
ところの制御システム。
【請求項６】
請求項２記載の制御システムであって、
前記分離スプールの前記一方の端部及び前記他方の端部が等しい面積である、
ところの制御システム。
【請求項７】
請求項１記載の制御システムであって、
前記分離弁が、
その一方の端部に作用する前記調節流最大出力信号及びその他方の端部に作用する前記分離出口信号によって平衡にされる分離スプールであって、前記分離スプールの入力が、前記計量流最大出力信号を受け、低減及び緩和の機能に影響して前記分離出口信号を発生する、ところの分離スプール、及び
前記分離スプールが非平衡位置にあり、前記ワークセクションの全てで流れの出力を維持するために、前記分離スプールの入力と前記分離出口信号との間の固定した圧力差を維持するように作動的な前記分離スプールの分離逆流防止弁、
を含み、
これにより、前記安全弁が圧力を制限しているとき、前記分離出口信号が、前記分離スプールの入力及びタンク安全導管から切断される、
ところの制御システム。
【請求項８】
請求項７記載の制御システムであって、
前記分離逆流防止弁が、負荷されるスプリングである、
ところの制御システム。
【請求項９】
請求項８記載の制御システムであって、
前記安全弁が、前記分離スプールの下流の前記分離出力信号で作動する、
ところの制御システム。
【請求項１０】
請求項１記載の制御システムであって、
前記分離弁が、
その一方の端部に作用する前記調節流最大出力信号及びその他方の端部に作用する前記分離出口信号によって平衡にされる分離スプールであって、前記分離スプールの入力が、前記計量流最大出力信号を受け、低減及び緩和の機能に影響して前記分離出口信号を発生する、ところの分離スプール、及び
前記分離スプールが非平衡位置にあり、前記安全弁の上流の前記分離出口信号と、前記ワークセクションの全てで流れの出力を維持するために前記分離スプールの入力と前記分離出口信号との間で固定した圧力差を維持するように作動的な前記分離スプールとの間に挿入される分離逆流防止弁、
を含み、
これにより、前記安全弁が圧力を制限しているとき、前記分離出口信号が、前記分離スプールの入力及びタンク安全導管から切断される、
ところの制御システム。
【請求項１１】
請求項１０記載の制御システムであって、
前記分離逆流防止弁が、負荷されるスプリングである、
ところの制御システム。
【請求項１２】
請求項１０記載の制御システムであって、
前記安全弁が、前記分離スプールの下流の前記分離出口信号で作動する、
ところの制御システム。
【請求項１３】
請求項１記載の制御システムであって、
少なくとも１つの前記ワークセクションへの前記入口導管が、前記方向制御弁の入口セクションへの流れ、及び前記方向制御弁及び前記流体モータで前記計量ノッチを接続するモータ導管を通じる流れを制限するための流量制限弁を有する分岐入口ラインである、
ところの制御システム。
【請求項１４】
請求項１３記載の制御システムであって、
前記流量制限弁が、調節可能である、
ところの制御システム。
【請求項１５】
圧力応答流体制御システムであって、
（１）複数のワークセクション、
（２）ソースリターンラインを有し、前記ワークセクションへ平流式入口導管によって接続される余剰圧力を作り出す負荷感知補償流ソース、
（３）負荷に作動的に接続される前記ワークセクションの各々にある流体モータ、
（４）前記入口導管及び前記流体モータに接続される前記ワークセクションの各々にある方向制御弁、
（５）前記ソースから前記流体モータへの流体の流れを制御する、前記方向制御弁にある計量ノッチ、
（６）流量を計量した流体を前記計量ノッチから入力し、流量を調節した流体を前記流体モータへ出力する、前記ワークセクションの各々にある圧力補償弁であって、その一方の端部及びスプリングに作用する計量流圧力及びその他方の端部で作動する補償制御信号を有する、ところの圧力補償弁、
（７）前記ワークセクションの各々に相互に接続し、調節流最大出力信号を与える調節流論理逆流防止システム、
（８）前記ワークセクションの各々に相互に接続し、計量流最大出力信号を与える計量流論理逆流防止システム、及び
（９）安全弁を有し、前記調節流最大出力信号及び前記計量流最大出力信号を受け、負荷信号を前記ソースリターンラインへ供給し、安全出口信号を、流量を調節した流体の信号を前記ワークセクションの各々から受ける誘導負荷逆流防止システムへ供給し、前記ワークセクションのための前記安全出口信号及び前記流量を調節した流体の信号の最も高い圧力信号を前記ワークセクションの各々へ前記補償制御信号として供給し、これにより、前記安全弁が圧力を制限しているとき、流れの出力が、前記ワークセクションの全てで維持される、安全回路、
から成る制御システム。
【請求項１６】
請求項１５記載の制御システムであって、
前記調節流最大出力信号が、前記安全出口信号に接続し、
前記安全弁が、前記安全出口信号で作動し、
逆流防止弁が、前記安全弁が圧力を制限しているときに前記ワークセクションの全てで流れの出力を維持するために、前記負荷信号と前記安全出口信号との間で固定した圧力差を維持させるように作動する、
ところの制御システム。
【請求項１７】
請求項１６記載の制御システムであって、
前記逆流防止弁が、負荷されるスプリングである、
ところの制御システム。
【請求項１８】
請求項１６記載の制御システムであって、
前記安全弁が、調節可能である、
ところの制御システム。
【請求項１９】
請求項１６記載の制御システムであって、
前記計量流最大出力信号が、前記計量流論理逆流防止システムと前記逆流弁との間に挿入される流量制限オリフィスによって作動される、
ところの制御システム。
【請求項２０】
圧力応答流体制御システムであって、
（１）複数のワークセクション、
（２）ソースリターンラインを有し、前記ワークセクションへ平流式入口導管によって接続される余剰圧力を作り出す負荷感知補償流ソース、
（３）負荷に作動的に接続される前記ワークセクションの各々にある流体モータ、
（４）前記入口導管及び前記流体モータに接続される前記ワークセクションの各々にある方向制御弁、
（５）前記ソースから前記流体モータへの流体の流れを制御する、前記方向制御弁にある計量ノッチ、
（６）流量を計量した流体を前記計量ノッチから入力し、流量を調節した流体を前記流体モータへ出力する、前記ワークセクションの各々にある圧力補償弁であって、その一方の端部及びスプリングに作用する計量流圧力及びその他方の端部で作動する補償制御信号を有する、ところの圧力補償弁、
（７）前記ワークセクションの各々に相互に接続し、調節流最大出力信号を与える調節流論理逆流防止システム、
（８）前記ワークセクションの各々に相互に接続し、計量流最大出力信号を与える計量流論理逆流防止システム、
（９）前記計量流最大出力信号を受けるソースリターンライン、及び
（１０）前記調節流最大出力信号及び流量を調節した流体を前記ワークセクションの各々から受け、前記ワークセクションのための前記調節流最大出力信号及び前記流量を調節した流体の最も高い圧力信号を前記ワークセクションの各々へ前記補償制御信号として供給する、誘導負荷逆流防止システム、
から成る制御システム。
【手続補正２】
【補正対象書類名】明細書
【補正対象項目名】００１０
【補正方法】変更
【補正の内容】
【００１０】
一般に、本発明は、（１）複数のワークセクションを有する圧力応答流体制御システム、（２）ソースリターンラインを有し、ワークセクションへの平行流入口導管によって接続される余剰圧力を作り出す負荷感知補償流（load-sensing flow-compensated）ソース、（３）負荷に接続的に接続されるワークセクションの各々にある流体モータ、（４）入口導管及び流体モータに接続されたワークセクションの各々にある方向制御弁、（５）ソースから流体モータへの流体の流れを制御する方向制御弁にある計量ノッチ、（６）計量ノッチから流量を計量した流体（flow-metered fluid）を入力し流体モータへ流量を調節した流体（flow-regulated fluid）を出力するワークセクションの各々にあり、一方の端部及びスプリングに作用する計量流（flow-metered）圧力と、他方の端部で作動する補償制御信号とを有する圧力補償弁、（７）ワークセクションの各々に相互に接続され、調節流（flow-regulated）最大出力信号を与える調節流論理逆流防止システム（flow-regulated logic check system）、（８）ワークセクションに相互に接続され、計量流最大出力信号を与える計量流論理逆流防止システム、及び（９）分離弁及び安全弁を有し、調節流最大出力信号及び計量流最大出力信号を受け、負荷信号をソースリターンラインへ供給し、分離出口信号を、流量を調節した流体の信号をワークセクションの各々から受ける誘導負荷逆流防止システムへ供給し、ワークセクションのための分離出口信号及び流量を調節した流体の信号の最も高い圧力信号を補償制御信号としてワークセクションの各々に供給する、分離回路から成り、これにより、圧力補償弁及び安全弁が、少なくとも１つのワークセクションの流体モータの負荷によって流量制限最大出力信号で導入された誘導負荷から分離される。


【手続補正３】
【補正対象書類名】明細書
【補正対象項目名】００１１
【補正方法】変更
【補正の内容】
【００１１】
本発明の他の態様は、（１）複数のワークセクションを有する圧力応答流体制御システム、（２）ソースリターンラインを有し、ワークセクションへの平行流入口導管によって余剰圧力を作り出す負荷感知補償流ソース、（３）負荷に作動的に接続されるワークセクションの各々にある流体モータ、（４）入口導管及び流体モータに接続されるワークセクションの各々にある方向制御弁、（５）ソースから流体モータへの流体の流れを制御する方向制御弁にある計量ノッチ、（６）計量ノッチから流量を計量した流体を入力し、流体モータへ流量を調節した流体を出力するワークセクションの各々にあり、スプリング及びその一方端に作用する計量流圧力及びその他方端に作用する補償制御信号を有する圧力補償弁、（７）ワークセクションの各々に接続し、調節流最大出力信号を与える調節流論理逆流防止システム、（８）ワークセクションの各々に接続し、計量流最大出力信号を与える計量流論理逆流防止システム、及び（９）安全弁を有し、調節流最大出力信号及び計量流最大出力信号を受け、負荷信号をソースリターンラインへ供給し、安全出力信号を、流量を調節した流体の信号をワークセクションの各々から受ける誘導負荷逆流防止システムへ供給し、ワークセクションのための安全出力信号及び流量を調節した流体信号の最も高い圧力信号をワークセクションの各々へ補償制御信号として供給し、これにより、安全弁が圧力を制限しているときに流れの出力が全てのワークセクションで維持される、ところの安全回路、から成る。